(57)【要約】      （修正有）【課題】本撮影を開始するまでの時間を従来に比べて短縮するX線CT装置を提供する。【解決手段】X線源と、X線検出器と、ガントリー部3と、画像再構成部と、画像表示部と、寝台部と、撮影位置決め部と、各種パラメータ設定入力部とを備えたX線CT装置において、ガントリ制御部8は位置決めされた被検体1の位置決め終了の際にガントリ部の回転部の回転開始を制御する。あるいは、天板の移動動作の終了の際に回転部の回転開始を制御する。【選択図】図１
2012115484.tif 000002
【特許請求の範囲】
【請求項１】
被検体にＸ線を照射するＸ線源と、
前記Ｘ線源に対向配置され前記被検体を透過したＸ線を検出するＸ線検出器と、
前記Ｘ線源と前記Ｘ線検出器を搭載し前記被検体の周囲を回転する回転部を収容するガントリ部と、
前記Ｘ線検出器で検出した透過Ｘ線量に基づき前記被検体の断層像を再構成する画像再構成部と、
前記再構成された断層像を表示する画像表示部と、
前記被検体の体軸方向に移動可能な天板を有する寝台部と、
前記被検体の撮影位置決めを行う撮影位置決め部と、
撮影位置決め終了を含む各種パラメータを設定する入力部と、を備えたＸ線ＣＴ装置であって、
前記撮影位置決め部によって位置決めされた被検体の位置決め終了の際に前記回転部の回転開始を制御するガントリ制御部を備えたことを特徴とするＸ線ＣＴ装置。
【請求項２】
請求項１に記載のＸ線ＣＴ装置であって、前記ガントリ制御部は前記天板の移動動作の終了の際に前記回転部の回転開始を制御するＸ線ＣＴ装置。
【請求項３】
請求項１又は２のいずれかに記載のＸ線ＣＴ装置であって、前記ガントリ部は、その回転部の回転速度を設定するタッチパネル部を備えたＸ線ＣＴ装置。
【発明の詳細な説明】
【技術分野】
【０００１】
本発明は、X線CT装置に関し、特に本撮影に先立って行われる撮影準備の終了に基づき回転円盤の回転を開始するX線CT装置に関する。
【背景技術】
【０００２】
X線CT装置を使用する医療施設では、X線CT装置のスループット向上、すなわち1人の被検体の検査にかかる時間(スループット時間)を短縮することが、医療施設を経営する上で重要なことである。スループット時間の短縮にはX線CT画像を得るための撮影(以下、本撮影ともいう)に要する時間の短縮だけでなく、異なる被検体の本撮影の間の時間、例えば被検体の入れ替え時間や本撮影の準備時間の短縮も必要である。特許文献１では、スキャナの回転を本撮影の前に予め開始しおいて準備時間を短縮することが開示されている。
【先行技術文献】
【特許文献】
【０００３】
【特許文献１】特開2010-124924号公報
【発明の概要】
【発明が解決しようとする課題】
【０００４】
しかしながら、特許文献1においては、スキャノグラム撮影を実施しない場合の準備時間の短縮の配慮されていない。
【０００５】
そこで、本発明の目的は、操作者がX線CT画像を得るための撮影の準備を終了した後に、撮影を開始するまでの時間を従来に比べて短縮するX線CT装置を提供することにある。
【課題を解決するための手段】
【０００６】
前記目的を達成するために、本発明によれば以下に示すようなX線CT装置が提供される。
【０００７】
本発明のX線ＣＴ装置は、被検体にX線を照射するX線源と、前記X線源に対向配置され前記被検体を透過したX線を検出するX線検出器と、前記X線源と前記X線検出器を搭載し前記被検体の周囲を回転するスキャナ部を収容するガントリ部と、前記X線検出器で検出した透過X線量に基づき被検体の断層像を再構成する画像再構成部と、前記断層像を表示する画像表示部と、被検体の体軸方向に移動可能に支持する寝台部と、被検体の撮影位置決めを行う撮影位置決め部と、撮影位置決め終了を含む各種パラメータを設定する入力部と、を備えたX線CT装置であって、前記撮影位置決め部によって位置決めされた被検体の位置決め終の際に前記スキャナ部の回転開始を制御するガントリ制御部を備える。
【０００８】
上記構成によれば、ガントリ制御部は前記撮影位置決め部によって位置決めされた被検体の位置決め終了の際に、前記スキャナ部の回転開始を制御するため、スキャノグラム撮影の実施／不実施に拘らずに操作者がX線CT画像を得るための撮影の準備を終了した後に、撮影を開始するまでの時間を従来に比べて短縮することが可能となる。
【発明の効果】
【０００９】
本発明によれば、操作者がX線CT画像を得るための撮影の準備を終了した後に、撮影を開始するまでの時間を従来に比べて短縮するX線CT装置を提供することができる。
【図面の簡単な説明】
【００１０】
【図１】本発明を採用するX線CT装置の構成例図
【図２】実施例１のスキャナ回転開始処理のフローチャート
【図３】実施例２のスキャナ回転開始処理のフローチャート
【発明を実施するための形態】
【００１１】
以下、この発明の実施例を、図1を参照して説明する。
図1は本発明を採用するX線CT装置の構成例図である。
X線CT装置は、寝台2と、ガントリ部3と、投光器5,14と、天板6と、寝台制御部7と、ガントリ制御部8と、タッチパネル部9と、表示部10と、入力部11と、システム制御部12と、操作卓13とを有している。
【００１２】
寝台2は被検体1を寝載するもので、被検体1はその体軸方向に移動可能に支持される天板6の上に乗る。
【００１３】
ガントリ部3はX線管(図示省略)とX線検出器(図示省略)を被検体1の周囲を回転可能に支持しつつ被検体1のスキャノグラム像、断層像を撮影する。
ガントリ部3には被検体1を挿入するための開口部4が設けられる。
【００１４】
開口部4には投光器5、14が撮影位置決めの用途で設けられている。投光器5は開口部4の被検体１の挿入口に、投光器14はガントリ部3の厚み(被検体１の体軸方向と一致する)方向の中央部分に設けられる。なお、撮影位置決めはスキャノグラム像を用いて行ってもよい。
【００１５】
寝台制御部7は被検体1の撮影のために寝台2の高さを床面から上下方向に調整し、さらに天板6を床面と平行に被検体の体軸方向に移動する。
【００１６】
ガントリ制御部8はガントリ部3の撮影操作が機能するように制御する。
タッチパネル部9は、ガントリ3に設けられ、操作者がガントリ部3の傾斜角度、その回転部の回転速度やX線管の管電圧、管電流を設定することができるようになっている。
【００１７】
表示部10はガントリ部3によって撮影された被検体１のスキャノグラム像、断層像を表示するもので、液晶モニタ、CRTなどがある。
【００１８】
入力部11はX線CT画像を得るためのパラメータを設定入力するもので、キーボード、マウスやトラックボールなどのポインティングデバイスなどがある。
【００１９】
システム制御部12は、X線CT装置のシステム全体を統括制御するもので、ガントリ制御部８や寝台制御部7を制御する。
操作卓13は、表示部10、入力部11を置く台で、システム制御部13を内包する筐体である。
【００２０】
上記X線CT装置において、被検体位置決めの際は、被検体1を天板6に寝載して寝台2を床面と垂直に移動させた後、天板6を開口部4方向へ移動し、投光器5、14を用いて寝台2の上下位置、天板6の前後位置を決定する。
【００２１】
投光器5により位置決めした後は、その位置が実際の投光器14の位置となるように天板6を床面に平行一定距離を移動させる。ここで一定距離移動させる動作(以降PAT動作と称する)は1つの釦(以降PAT釦と称する)操作で処理可能とする。またPAT釦を使用せずに、直接投光器14による位置を決定した後は、位置決め終了を設定するための操作釦(例えば投光器釦とPAT釦の両方)を押下する。
【実施例１】
【００２２】
実施例１では、先にガントリ部3側における被検体1の位置決めを実施した後に操作卓13側で撮影プロトコルを設定するような緊急撮影に対応する場合で、位置決め終了設定後にガントリ部3の回転部分を最小速度で回転させて、ガントリ部3の回転部分部の設定速度までに到達する時間を短縮する手順を説明する。
【００２３】
まず、操作者は、被検体1を目視し、投光器5、14を用いて撮影位置決めをする(ステップ21)。
次に、操作者は、撮影位置決めが終了すれば、位置決め終了を設定するための操作釦を押下するか、または入力部11に入力する。システム制御部12は、入力部11からの入力された撮影位置決めの終了“Yes”によりステップ23に進み、撮影位置決めの終了の入力が無い“No”によりステップ21を繰り返す(ステップ22)。
【００２４】
次に、システム制御部12は、X線源の陽極の回転を開始すると共に、ガントリ部３の回転部分を低速回転する。ここでいう低速回転とは、X線CT装置の回転撮影時間が最も長いものを指し、５秒スキャンが最も長ければ１周５秒で回転する(ステップ23)。
【００２５】
次に、システム制御部12は、予め撮影プロトコルが設定済か、未設定かを判定する。システム制御部12は、設定済 “Yes”によりステップ26に進み、未設定“No”によりステップ25に進む(ステップ24)。
【００２６】
次に、システム制御部12は、タッチパネル部9によりガントリ部３の回転部の回転速度を入力又は未入力を判定する。システム制御部12は、入力“Yes”によりステップ26に進み、未入力 “No”によりステップ24に戻る(ステップ25)。
【００２７】
次に、システム制御部12は、ガントリ制御部8にガントリ3の回転部の回転速度を、ステップ24の撮影プロトコルか、ステップ25のタッチパネル部9により入力されたガントリ部３の回転部の回転速度によって変更させる(ステップ26)。
【００２８】
最後に、システム制御部12は、ステップ26で変更されたガントリ部３の回転部の回転速度によって本撮影を行う(ステップ27)。
【００２９】
実施例１によれば、ガントリ制御部8は位置決めされた被検体の位置決め終了の際に前記スキャナ部の回転開始を制御するため、スキャノグラム撮影の実施／不実施に拘らずに操作者がX線CT画像を得るための撮影の準備を終了した後に、撮影を開始するまでの時間を従来に比べて短縮することができる。
【００３０】
また、実施例１の特有の効果は、実際の本撮影でガントリ部３の回転部の回転速度が低速回転でない場合でも、回転停止状態から回転を開始して安定になるまでの時間よりも低速回転状態から別の回転速度へ加速して安定になるまでの時間の方が早く、上記撮影を開始するまでの時間を従来に比べて短縮をすることができる。
【実施例２】
【００３１】
実施例２では、PAT動作終了後にガントリ部3の回転部分を最小速度で回転させて、ガントリ部3の回転部分部の設定速度までに到達する時間を短縮する手順を説明する。
【００３２】
操作者はPAT動作を作動させるためPAT釦を押下げる。システム制御部12は、PAT釦の押下を受けて被検体１を乗せた状態で天板6をPAT動作させる(ステップ31)。
【００３３】
システム制御部12はPAT釦が入力されなければ、ガントリ制御部8にPAT動作終了を通知する(ステップ32)。
【００３４】
ガントリ制御部8は検知した際、操作卓13側のシステム制御装置12から撮影プロトコル条件の設定を検知している場合には、X線源の陽極の回転を開始すると共に、撮影条件における回転速度でスキャナの低速回転を開始する(ステップ33)。
【００３５】
ステップ34乃至ステップ37は、実施例１のステップ24乃至27と同じであるので説明を省略する。
【００３６】
実施例2によれば、ガントリ制御部8は位置決めされた被検体の位置決め終了の際に前記スキャナ部の回転開始を制御するため、スキャノグラム撮影の実施／不実施に拘らずに操作者がX線CT画像を得るための撮影の準備を終了した後に、撮影を開始するまでの時間を従来に比べて短縮することができる。
【００３７】
また、実施例2の特有の効果は、撮影プロトコル条件の設定がなされていれば迅速に本撮影に移行することができる。
【００３８】
実施例1又は実施例2により、ガントリ制御部8がPAT動作終了または位置決め終了設定を検知した際にスキャナはある速度で回転を開始するが、その際、ガントリ部3の回転部の回転速度を設定する手段(例えばタッチパネル部9)からの入力を検知した場合は、入力された速度にガントリ部3の回転部の回転速度を変更する。操作者がガントリ部3側で任意の速度にスキャナの回転速度を変更可能とすることで、この後に行われる撮影設定における操作者の意図を正確に反映することが可能となる。
【符号の説明】
【００３９】
1  被検体、2  寝台、3  ガントリ部、4  開口部、5、14  投光器、6  天板、7  寝台制御部、8  ガントリ制御部、9  タッチパネル部、10  表示部、11  入力部、12  システム制御部、13  操作卓
【図１】
2012115484.tif 000003
【図２】
2012115484.tif 000004
【図３】
2012115484.tif 000005